(57)【要約】【課題】従来のパンザマストの解体工具は、嵌合部分が錆付き、硬く固まってしまっていると、スクリュージャッキにかかる力が固定駒にかかる。すると、固定駒側では、締結部分を支点として回転方向にトルクが働き、テコの原理により固定駒の下端にパンザマストの表面を垂直に押し込む力が働き、パンザマストが凹むという課題があった。【解決手段】一対の押上駒と、前記一対の押上駒をパンザマストに緊締する第１の緊締手段と、前記一対の押上駒のそれぞれに揺動可能に連結されたジャッキ手段と、前記ジャッキ手段のそれぞれを支持する支持台と、前記支持台のそれぞれを固定する固定駒と、前記それぞれの固定駒を前記支持台より上方で前記パンザマストに緊締する第２の緊締手段とを有することを特徴とする、パンザマスト解体工具を提供する。【選択図】図１
2012192495.tif 000002
【特許請求の範囲】
【請求項１】
一対の押上駒と、
前記一対の押上駒をパンザマストに緊締する第１の緊締手段と、
前記一対の押上駒のそれぞれに揺動可能に連結されたジャッキ手段と、
前記ジャッキ手段のそれぞれを支持する支持台と、
前記支持台のそれぞれを固定する固定駒と、
前記それぞれの固定駒を前記支持台より上方で前記パンザマストに緊締する第２の緊締手段とを有するパンザマスト解体工具。 
【請求項２】
前記押上駒は磁石を有する請求項１に記載されたパンザマスト解体工具。 
【請求項３】
前記ジャッキ手段は、前記押上駒に連結された可動ロッドと、回転することで前記可動ロッドを伸縮させるジャッキと、前記ジャッキの前記支持台端に前記ジャッキの回転軸に同心させたギアを有し、
前記支持台には、前記ギアと係合し、駆動軸を露設させた減速手段とを有する請求項１または２のいずれかの請求項に記載されたパンザマスト解体工具。
【発明の詳細な説明】
【技術分野】
【０００１】
本発明は、送配電線等に使用される組み立て式鉄柱を解体する装置に関し、特にパンザマストと呼ばれる組み立て式鉄柱を直立させたまま解体するための解体工具に関する。
【背景技術】
【０００２】
パンザマストとは、送配電線等に利用される組み立て式の鉄柱である。パンザマストは、高抗張力鋼板をプレス加工および溶接によって円錐筒状に形成した単位マストを軸方向に嵌合させながら積み上げることで形成される。単位マストに分解して運搬でき、それぞれの単位マストは、円錐筒状であるため軽量である。従って、重機を設置できない交通不便な場所でも鉄柱を設立できる。
【０００３】
不要となったパンザマストは、解体され、再利用される。パンザマストは金属製であるため、経年的にいずれ酸化し、もろくなって倒壊するおそれがあるためと、資源の再利用のためである。
【０００４】
従来パンザマストの解体は、台棒、ウインチ、クレーン等の工具を用いて、建立したパンザマストを地面から引き抜き、倒置させた後に、ワイヤーロープと緊張機と掛矢などを用いて単位マスト間の嵌合部分に打撃を与えながら脱着させていた。また、ガス切断機や電動カッターによって単位マスト本体を切断してゆく方法も採用されていた。
【０００５】
また、倒置させたパンザマストの単位マスト間を緊張装置（チェンブロック）で引っ張り、単位マスト毎に引っ張り抜いて解体する方法がある（特許文献１）。
【０００６】
特許文献２では、建立させた状態、若しくは倒置させた状態のいずれかの状態で、単位マスト毎に分解するために油圧ジャッキを用いる方法が開示されている（特許文献２）。
【０００７】
パンザマストを倒置させて単位マスト毎に解体してゆく方法は、作業性もよく、やりやすい解体方法である。しかし、パンザマストは、もともと足場の悪い山間部等に設置される場合が多く、そもそもパンザマストを地面から引き抜き、倒置させること自体が困難である場合が多い。
【０００８】
より具体的には、長年嵌合状態にあった嵌合部分は、固着しているため、容易には脱着させることはできず、設置する場合よりも、解体する場合の方が大きな労力が必要となる。したがって、組み立てる場合より頑強な足場や、広い機材の搬入ルートを確保する必要がある。しかし、山間部等では、そのような条件が揃わない場合もある。
【０００９】
また、単位マストで運び込み、組み立てできた場所であっても、長い状態のパンザマストを倒置する場所がない場合もある。以上のことより、建立したままのパンザマストを、単位マスト毎に解体でき、軽量で持ち運びが容易にできる解体工具が必要とされる。
【００１０】
特許文献２の油圧ジャッキを用いる方法は、解体のための力を容易に引き出すことができるため、利点は多い。しかし、小型とはいえ油圧ジャッキは重く、高所へ持ち上げるのは多くの労力を有する。また、油圧ジャッキを作用させる部分が、パンザマストの一側面であるので、嵌合した単位マストを引き抜くとき、片方の側面だけに力がかかり、嵌合部分が噛みこみを起こすおそれもある。
【００１１】
特許文献３は、従来から用いられている解体工具を開示している。これはスクリュージャッキ、レバーブロックやチェーンを用いて、単位マスト毎に引き抜く装置である。スクリュージャッキは、パンザマストの左右の対側面に配置されるので、錆付き固まった嵌合部分に均等に引き抜き方向の力を与えることができる。また、この装置は、比較的重量が軽く、高所に持ち上げるのも容易であるため、利便性は高い。
【００１２】
図５に特許文献３の分解工具を示す。この解体装置１００は、上位単位柱体１０１と下位単位柱体１０２との嵌合部の直下に取りつけ、第１の装置１０３と第２の装置１０４と、第１の装置１０３および第２の装置１０４の間に連結されるジャッキ１０５からなっている。また、第１の装置１０３はワイヤーロープ１３１とワイヤーロープ１３１に支持された２個の可動駒１３２と、ワイヤーロープ１３１を緊張させるためのワイヤーロープ緊張装置１３４を備えた可動駒１３３からなっている。
【００１３】
また、第２の装置１０４も、第１の装置１０３に類似した構成を有しており、チェーン１４１とチェーン１４１に固定もしくは支持された５個の固定駒１４２〜１４５（図３では１つは裏側で見えない）と、そのうちの２個の固定駒１４４、１４５によって形成されたチェーン緊張装置１４６とを有している。
【００１４】
そして、第１および第２の装置１０３、１０４をパンザマスト１０２に固定し、ジャッキ１０５を操作することで、第１の装置１０３がパンザマスト１０２の表面をずり上がり、上位単位柱体１０１を下位単位柱体１０２から持ち上げる。
【先行技術文献】
【特許文献】
【００１５】
【特許文献１】特開平８−３０３０５９号公報
【特許文献２】実用新案登録３１０３７２５号公報
【特許文献３】実開昭６２−２９２７２号公報
【発明の概要】
【発明が解決しようとする課題】
【００１６】
特許文献３の解体装置は、軽量なスクリュージャッキを用いるため、高所までパンザマストを持ち上げることができるが、設置したのち、人力でスクリュージャッキを回転させなければならない。しかも、できるかぎり左右対称に力を加えなければ、嵌合部分が噛みこみを起こし、さらに解体しにくくなる。
【００１７】
また、スクリュージャッキ１０５は下方の固定駒１４２、１４３を反力受けとして、可動駒１３２を押し上げるため、パンザマストの嵌合部分が錆付き、硬く固まってしまっていると、スクリュージャッキ１０５にかかる力が固定駒１４２、１４３にかかる。すると、固定駒１４２、１４３側では、締結部分を支点として回転方向にトルクが働き、テコの原理により固定駒の下端にパンザマストの表面を垂直に押し込む力が働く。
【００１８】
解体されるパンザマストは、脆くなっている場合が多く、この力に抵抗できず、表面が凹んでしまうという課題があった。パンザマストを建立させたまま解体する方法では、上部の単位マストから順に抜いてゆくので、解体工具下方の固定駒の部分でパンザマストの表面が凹んでしまうと、上方にある単位マストを引き抜く反力受けを失うのと同時に、下方の単位マストの引き抜きも困難になる。
【課題を解決するための手段】
【００１９】
本発明は上記課題に鑑みて想到されたもので、パンザマストを建立させたままで、単位マスト毎に解体する装置であって、解体の際にかかる力でパンザマストにダメージを与えにくい解体工具を提供するものである。
【００２０】
より具体的には、本発明のパンザマスト解体工具は、
一対の押上駒と、
前記一対の押上駒をパンザマストに緊締する第１の緊締手段と、
前記一対の押上駒のそれぞれに揺動可能に連結されたジャッキ手段と、
前記ジャッキ手段のそれぞれを支持する支持台と、
前記支持台のそれぞれを固定する固定駒と、
前記それぞれの固定駒を前記支持台より上方で前記パンザマストに緊締する第２の緊締手段とを有することを特徴とする。
【００２１】
また、前記押上駒は磁石を有することを特徴とする。
【００２２】
さらに、前記ジャッキ手段は、前記押上駒に連結された可動ロッドと、回転することで前記可動ロッドを伸縮させるジャッキと、前記ジャッキの前記支持台端に前記ジャッキの回転軸に同心させたギアを有し、
前記支持台には、前記ギアと係合し、駆動軸を露設させた減速手段とを有することを特徴とする。
【発明の効果】
【００２３】
本発明のパンザマスト解体工具では、固定駒の反力受けの位置より上方で固定駒をパンザマストに緊締するため、固定駒の緊締位置を支点としてパンザマスト表面を押す力（力点）は固定駒の反力受けの点（支持台）と同じ位置となる。したがって、テコの原理が働かず、パンザマストの表面はダメージを受けにくくなる。
【００２４】
また、支持台の位置より上側に固定駒とパンザマストの接触面を形成することができるので、パンザマスト解体工具自体の長さを長くすることなく、固定駒の設置面積を広くすることができ、反力を受ける面積を広くすることができる。すなわち、パンザマストの表面へダメージを与えにくくできる。
【００２５】
したがって、スクリュージャッキに減速機を設け、より大きな力でジャッキアップできるようにしても、パンザマストを凹ませることなく、嵌合部分に力を与えることができる。
【００２６】
さらに、減速機の駆動軸を電動モータ等で駆動することで、より大きなトルクでスクリュージャッキを回転させることができると共に、一度嵌合が外れだした単位マストをジャッキアップさせるのに、電動モータで楽に持ち上げることができる。
【００２７】
また、押上駒には、磁石を配置させることとしたので、最初にパンザマストに取付ける際に、押上駒が鉄製のパンザマストに吸着し、固定駒を緊締するのが容易となる。
【図面の簡単な説明】
【００２８】
【図１】本発明のパンザマスト解体工具の構成を示す図である。
【図２】図１の一部拡大図である。
【図３】図１の一部拡大図である。
【図４】本発明のパンザマスト解体工具の固定駒の作用を説明する図である。
【図５】従来のパンザマスト解体工具の構成を示す図である。
【発明を実施するための形態】
【００２９】
以下に、本発明の実施の形態について、図を用いて詳細に説明する。図１は、本発明のパンザマスト解体工具１（以後単に「解体工具１」とも記載する。）である。図はパンザマストに固定した状態を示している。なお、図２、図３は、図１の部分拡大図であり、適宜参照する。また、符号で示した部品の中で本明細書中では一対あるものとして説明する場合であっても、図２若しくは図３に、その一方だけにしか指示していないものがある。しかし、符号が図面に明示されていないだけで、実際には存在する。
【００３０】
本発明のパンザマスト解体工具１は、一対の押上駒２ａ、２ｂ（以後区別なく記載する場合は単に「押上駒２」と記載する。）とそれらに揺動可能に連結されたジャッキ手段３ａ、３ｂ（以後区別なく記載する場合は単に「ジャッキ手段３」と記載する。）と、ジャッキ手段３を支える支持台４ａ、４ｂ（以後区別なく記載する場合は単に「支持台４」と記載する。）と、支持台４を固定する固定駒５ａ、５ｂ（以後区別なく記載する場合は単に「固定駒５」と記載する。）、押上駒２と固定駒５をパンザマスト９に緊締する第１および第２の緊締手段６、７からなる。
【００３１】
押上駒２は、少なくとも一対（２ａ、２ｂ）あり、パンザマスト９の略直径方向の表面に設置される。押上駒２の数は特に２つに限定されるわけではない。複数ある場合は、それぞれ等角度毎に設置する。パンザマスト９を嵌合部分１０の周に沿って均等に力を加えるためである。しかし、押上駒２に均等に力を加えるのは、一人の作業者が両手で行うのが、最も簡単であるので、少なくとも一対あればよい。なお、図１の上側の単位マストを符号９ａで示し、下側の単位マストを符号９ｂで示す。
【００３２】
押上駒２のパンザマスト９表面に接触する面２ａｆ、２ｂｆには磁石が配置される。鉄製のパンザマスト９表面に吸着させるためである。後述するように、本発明の解体工具１は、個々の部品に分けてパンザマスト９上に持って上がり、押上駒２から下方に向かって、組み付ける場合が多い。また、押上駒２は、パンザマスト９の周表面で１８０°の関係にあたる位置同士に配置し緊締されるため、パンザマスト９に吸着すると、緊締しやすく、作業性が著しく向上する。
【００３３】
図２を参照して、押上駒２は、解体する単位マストの嵌合部分１０の端面（下部端面）１０ｔに、上部端２ａｔ、２ｂｔ（以後区別なく記載する場合は単に「上部端２ｔ」と記載する。）を当接させて設置する。押上駒２の上部端２ｔを下から押し上げて、上側単位マスト９ａを押し上げ、解体するためである。上側単位マスト９ａの嵌合部分１０の下部端面１０ｔは、上側単位マスト９ａの下部端面１０ｔであり、上側単位マスト９ａの側面に略直角で、上側単位マスト９ａの厚みを幅とする環状面である。
【００３４】
押上駒２の上部端２ｔは特に特殊な形状を有する必要はない。しかし、上側単位マスト９ａの下部端面１０ｔは、約１から２ｍｍの上側単位マスト９ａの板厚分９ｔしかなく、その下部端面１０ｔを効率的に押し上げなければならない。したがって、押上駒２の上部端２ｔは、パンザマスト９の表面にできるだけ近づく位置からパンザマスト９の表面に垂直な方向に形成された面を有するのが好ましい。
【００３５】
また、押上駒２の下方には、ジャッキ手段３との連結部２ａｊ、２ｂｊ（以後区別なく記載する場合は単に「連結部２ｊ」と記載する。）がある。ジャッキ手段３との連結部２ｊの構造は、連結部２ｊを枢軸として、少なくともジャッキ手段３が下側単位マスト９ｂの表面から離れる方向に揺動可能であれば、特に限定されない。上側単位マスト９ａが押し上げられるに従い、ジャッキ手段３と下側単位マスト９ｂの間のなす角度θは、小さくなるため、この方向へ揺動可能である必要があるためである。
【００３６】
また、押上駒２には、第１の緊締手段６が押上駒２を下側単位マスト９ｂに拘持させるための拘持部２ａｖ、２ｂｖ（以後区別なく記載する場合は単に「拘持部２ｖ」と記載する。）が形成される。押上駒２の上部端２ｔが上側単位マスト９ａの下部端面１０ｔを効果的に押し上げることができるようにするため、押上駒２はパンザマスト９表面に圧接させておく必要があるからである。拘持部２ｖは、孔であってもよいし、溝であってもよい。
【００３７】
図１を再び参照して、第１の緊締手段６は、押上駒２をパンザマスト９表面に拘束できるものであれば、特に限定されない。押上駒２は、パンザマスト９表面に緊締されるとはいえ、ジャッキ手段３によって上方にずり上がるため、移動可能な程度に緊締できる方法が望ましい。より具体的には、布バンドやワイヤーロープ等を用いることができる。
【００３８】
ジャッキ手段３は、それぞれの押上駒２に連結される。従って、ジャッキ手段３は少なくとも一対（３ａ、３ｂ）あり、それぞれの押上駒２ａ、２ｂに連結される。ジャッキ手段３は、スクリュージャッキが好適に利用されるが、その他のジャッキであってもよい。多少重量が増えても、作業場所までそれを持ち上げることができる環境で作業をする場合もあるからである。スクリュージャッキは、可動ロッド３ａｖ、３ｂｖ（以後区別なく記載する場合は単に「可動ロッド３ｖ」と記載する。）と、自身が長さ方向の軸を枢軸として回転することで、可動ロッドを伸縮させるジャッキ３ａｊ、３ｂｊ（以後区別なく記載する場合は単に「ジャッキ３ｊ」と記載する。）からなる。
【００３９】
スクリュージャッキは、通常、円筒のジャッキ３ｊの中に可動ロッド３ｖが差し込まれた形状をしている。可動ロッド３ｖの側面には、雄ネジが形成してあり、ジャッキ３ｊの先端部分に雄ネジと螺合する雌ネジが形成されている。そして、ジャッキ３ｊが長さ方向の軸の周りに回転すると、雌ネジに螺合した可動ロッド３ｖの雄ネジが螺進若しくは螺退することでジャッキ手段３が伸縮する。なお、可動ロッド３ｖとジャッキ３ｊに設けられた雄ネジと雌ネジの関係は、逆であってもよい。
【００４０】
図３を参照して、また、ジャッキ３ｊには、ジャッキ３ｊを回転させるためのギア３ａｇ、３ｂｇ（以後区別なく記載する場合は単に「ギア３ｇ」と記載する。）が形成されていてもよい。ジャッキ３ｊは回転させるための道具で回転させるのが、作業の労力を低減させるために効果的であるからである。また、ギア３ｇはジャッキ３ｊの下端に設けておいてもよい。ジャッキ３ｊの下端に設けたギア３ｇには、減速機１２ａ、１２ｂ（以後区別なく記載する場合は単に「減速機１２」と記載する。）を係合させるのが容易となるからである。
【００４１】
ジャッキ手段３の下端は支持台４で支持する。支持台４にはジャッキ手段３が押上駒２に加える力の反力が加わるため、強固に形成される。また、固定駒５とジャッキ手段３を連結するための連結部材としての役目も負う。なお、支持台４は固定駒５と一体に形成されていてもよい。すなわち、支持台４は、ジャッキ手段３を固定駒５と連結させている部分をいい、固定駒５と一体に形成されているか、固定駒５と分離して形成されるものかを問わない。
【００４２】
支持台４には、ジャッキ手段３の下端に設けられたギア３ｇを係合する減速機１２が搭載されていてもよい。減速機１２は、駆動軸の回転トルクを大きくしてジャッキ３ｊ下端のギア３ｇを回転させることができる。特に、上側単位マスト９ａの動かし始めには大きな力が必要であるので、減速機１２によって大きな回転トルクを得ることができると、大きな力で押上駒２に力を与えることが出来るからである。なお、減速機１２と支持台４は一体的に作られていてもよい。
【００４３】
再び図１を参照して、減速機１２を駆動する駆動軸１２ａｄ、１２ｂｄ（以後区別なく記載する場合は単に「駆動軸１２ｄ」と記載する。）は、どちらの方向に設けても良い。しかし、作業者は、パンザマスト９に対面して位置取り、上側単位マスト９ａの嵌合部分１０を見ながら解体工具１を操作する。すると作業者の手は、パンザマスト９の両側面若しくは相対する面に向いているので、ジャッキ手段３に平行に上向き若しくは、作業者の方向に向いているが好ましい。もちろん、減速機１２を支持台４若しくは固定駒５に対してある程度の角度揺動可能に設置し、駆動軸１２ｄの角度を可変できるようにしてもよい。
【００４４】
駆動軸１２ｄには、電動モータ１４ａ、１４ｂ（以後区別なく記載する場合は単に「電動モータ１４」と記載する。）の駆動軸との連結部を設けても良い。電動モータ１４は市販のハンディタイプの電動ドリルもしくは電動ドライバを用いることで、大きな回転トルクをスイッチ操作一つで得ることができ、作業者は上側単位マスト９ａと下側単位マスト９ｂの間の嵌合部分１０に注視しながら、作業ができる。
【００４５】
電動モータ１４を用いる場合は、電動モータ１４に、所定形状のドライバを固定しておく。そのドライバの先端に嵌合する受けを駆動軸１２ｄの先端に設ける。また、電動モータ１４の回転トルクが作業者の手にそのまま戻らないように、電動ドリル自体を支持台４（若しくは減速機１２）に固定する固定枠１５ａ、１５ｂ（以後区別なく記載する場合は単に「固定枠１５」と記載する。）を設ける。固定枠１５は例えば、電動モータ１４の外形で円でない断面に嵌合する枠を設けるのが好適である。電動モータ１４の回転によって電動モータ１４自身が回転しないようにするためである。
【００４６】
上記のような構成であれば、電動モータ１４は、固定枠１５に対して電動モータ１４を差し込むだけで、脱着でき、また、駆動軸１２ｄとの間で連結のための作業が不要となるので、作業が容易となる。もちろん、減速機１２はジャッキ手段３毎に設けられる。
【００４７】
固定駒５は、パンザマスト９の長さ方向に所定の長さを有する板材である。固定駒５は、ジャッキ手段３および支持台４毎に用意される。従って、本発明の解体工具１では、押上駒２、ジャッキ手段３、支持台４、固定駒５は、それぞれ少なくとも一対、つまり、２つずつは有することとなる。
【００４８】
再び図３を参照して、固定駒５には、押上駒２同様、パンザマスト９に押接する押接面５ａｆ、５ｂｆ（以後区別なく記載する場合は単に「押接面５ｆ」と記載する。）に磁石２０ａ、２０ｂ（以後区別なく記載する場合は単に「磁石２０」と記載する。）が配置されていてもよい。支持台４を固定駒５に取付ける際には、固定駒５もパンザマスト９に吸着できれば作業性が上がるからである。固定駒５には、支持台４が固定される。本発明の解体工具１では、支持台４は固定駒５の下方に固定される。そして、支持台４より上方で固定駒５同士が第２の緊締手段７によって緊締される。 
【００４９】
なお、固定駒５に磁石２０を設ける場合は、押接面５ｆの面積が小さくならないように磁石２０を設けることが必要である。後述するように押接面５ｆの面積はジャッキ手段３からの力を分散して受けるため広い方がよいからである。図３では、固定駒５の押接面５ｆと下側単位マスト９ｂの表面との間に磁石２０が挟持されているが、この場合、押接面５ｆは磁石２０と上側単位マスト９ａの表面の吸着面となる。
【００５０】
第２の緊締手段７が緊締される緊締位置５ａｘ、５ｂｘ（以後区別せず記載する場合は単に「緊締位置５ｘ」と記載する。）は、支持台４が固定駒５に固定されている位置５ａｙ、５ｂｙ（以後区別せず記載する場合は単に「固定位置５ｙ」と記載する。）より上方（押上駒２側）である。後述するように、ジャッキ手段３を支持する支持台４の固定位置５ｙと緊締位置５ｘをこのような関係にすることで、パンザマスト９への押圧力を低減させることができ、解体作業をおこなっても下側単位マスト９ｂが凹むというおそれがほとんどなくなる。
【００５１】
また、固定駒５の上端５ａｕ、５ｂｕ（以後区別せずに記載する場合は単に「上端５ｕ」と記載する。）は、押上駒２の方向に延設するのが好ましい。上端５ｕを押上駒２の方向に延設し、固定駒５のパンザマスト９への圧接面積５Ｓを大きくすることで、パンザマスト９への押圧力を分散させることができるからである。なお、固定駒５の押接面積は押接面５ｆによってきまるが、上述のように、磁石２０が間に挟持されている場合は、磁石２０の面積が圧接面積５Ｓとなる。
【００５２】
第２の緊締手段７も、第１の緊締手段６同様、布帯やロープに加え、鎖や金属ワイヤーを用いても良い。固定駒５は、パンザマスト９に確実に固定される必要があるからである。
【００５３】
次に、本発明の解体工具１の特に固定駒５の構造が有する作用について詳細に説明する。図４は、従来技術（特許文献３）の固定駒（図４（ａ））と本発明の固定駒（図４（ｂ））の作用を説明する図である。従来の固定駒５０は、ジャッキ手段３０からの力Ｆｊを受けていた、略三角形の固定駒５０の受け面（上面）５０ｆの下部を緊締手段７０によってパンザマスト５９に固定していた。ジャッキ手段３０は、固定駒５の上面５０ｆで支持されており、本発明でいうところの支持台４と固定駒５が一体となって形成されている場合に属する。
【００５４】
従来例のような構成の場合は、ジャッキ手段３０の反力受けは、固定駒５０の上面５０ｆであり、緊締手段７０より上方にある。すると、固定駒５０の上面５０ｆ、緊締手段７０、固定駒５０の下端５０ｂがそれぞれ力点、支点、作用点となり、固定駒５０の下端５０ｂには、パンザマスト５９表面を内側に押し込む方向に大きな力Ｆｐが加わる。しかも、パンザマスト５９の表面から反力受け（固定駒の上面である受け面５０ｆ）までの距離より緊締手段７０から固定駒５０の下端５０ｂまでの距離が短ければ、ジャッキ手段３０から受ける反力は増幅されてパンザマスト５９の表面を押圧する。
【００５５】
一方、本発明の構成（図４（ｂ））であると、ジャッキ手段３から受ける反力をパンザマスト９表面に振り変る支点（緊締手段７で固定される緊締位置５ｘ）は、力点となる反力受け（支持台４）の点より上方にあるため、パンザマスト９の表面を凹ませる方向にはテコの原理が働かない。作用点は、固定駒５の上端５ｕとなるが、固定駒５の上端５ｕはパンザマスト９表面から離れる方向に力Ｆｕが働くからである。パンザマスト９の表面を押す力は、ジャッキ手段３からの力Ｆｊの分力Ｆｉのみである。
【００５６】
また、固定駒５を上方に向かって延設しても、解体工具１自体の長さが長くならない。従って、ジャッキ手段３からの反力を広い面５Ｓで受けることが出来るので、パンザマスト９の表面を凹ませる力Ｆｉを分散させることができる。この点、従来例の構成では、パンザマストの表面への力Ｆｐを減らすためには、固定駒５０の下端５０ｂを下方に延設する必要があるが、これでは、解体工具１全体の長さが伸びてしまい、取り扱いの利便性が低下する。 
【００５７】
次に本発明の解体工具１の使用方法について説明する。再び図１を参照する。作業者は、本発明の解体工具１を個々の部品若しくは組み上げた状態で携帯する。パンザマストは単位マストが嵌合しながら積み上げられているので、作業者は、頂上の単位マストと２番目の単位マストの嵌合部が見やすい位置まで登る。
【００５８】
また、別途頂上の単位マストには、釣り上げ手段などを施しておき、２番目の単位マストとの嵌合部分がはずれたら釣り上げてから地面に下ろすことができるようにしておく。
【００５９】
作業者は、作業足場を確保した後、押上駒２を頂上の単位マストの下端面に当接させる。図１では、２点鎖線で示した位置である。押上駒２には磁石２０が組み込まれているので、鉄製のパンザマストには容易に吸着する。押上駒２はパンザマストの直径方向に対向させる位置に取り付け、第１の緊締手段６によって、第２の単位マストに固定する。
【００６０】
次にジャッキ手段３等を組付けてゆく。すでに組上がった解体工具１である場合は、固定駒５を第２の緊締手段７によって第２の単位マストに固定する。
【００６１】
パンザマスト解体工具１を第２の単位マストに取付けたら、電動モータ１４を固定枠１５に差し込む。上記の説明のように電動モータ１４は固定枠１５に差し込むだけで、減速機１２の駆動軸１２ｄに連結させることができる。
【００６２】
頂上の単位マストと第２の単位マストとの嵌合部分を注視しながら、電動モータ１４を操作し、嵌合部分１０を上方にずりあげる。この時、嵌合部分１０が錆びついて固着していても、上記の説明のように、固定駒５さえ下方に動かなければ、パンザマストの表面が凹む心配がないので、大きなトルクでジャッキ手段３を操作してもよい。また、固定枠１５によって電動モータ１４は空回りすることがないので、電動モータ１４のトルクはロスなく減速機１２に伝える事ができる。
【００６３】
最初の動き出しが始まれば、後はジャッキ手段３で頂上の単位マストは容易に上に抜くことができる。この際、減速機１２によって、駆動軸１２ｄを多く回転させなければジャッキ手段３は伸張しないが、電動モータ１４があるので、作業者はボタン操作だけで頂上の単位マストを持ち上げることができる。持ち上げた状態が図１の実線の押上駒２の位置である。後は、頂上の単位マストを吊りあげて地面に下ろす。そして、パンザマスト解体工具１の緊締を緩め、次の単位マストに移り、再び同じ操作を繰り返す。 
【産業上の利用可能性】
【００６４】
以上のように、本発明のパンザマストの解体工具を用いれば、単位マスト間の嵌合部分が固着していても、パンザマストを凹ませることなく、単位マストを抜く方向に力を加える事ができるので、気候の厳しい山間部などのように、大きな設備の搬入が難しい場所であって、厳しい風雨で嵌合部分が固着するおそれの多い場所に設置されたパンザマストの解体に大変有用である。 
【符号の説明】
【００６５】
１  パンザマスト解体工具
２、２ａ、２ｂ  押上駒
２ａｆ、２ｂｆ  押上駒のパンザマスト表面の接触面
２ｊ、２ａｊ、２ｂｊ  連結部
２ｔ、２ａｔ、２ｂｔ  押上駒の上部端
２ｖ、２ａｖ、２ｂｖ  拘持部
３、３ａ、３ｂ  ジャッキ手段
３ｖ、３ａｖ、３ｂｖ  可動ロッド
３ｊ、３ａｊ、３ｂｊ  ジャッキ
３ｇ、３ａｇ、３ｂｇ  ギア
４、４ａ、４ｂ  支持台
５、５ａ、５ｂ  固定駒
５ｆ、５ａｆ、５ｂｆ  押接面
５ｘ、５ａｘ、５ｂｘ  緊締位置
５ｙ、５ａｙ、５ｂｙ  固定位置
５ｕ、５ａｕ、５ｂｕ  上端
５Ｓ  圧接面積
６  第１の緊締手段
７  第２の緊締手段
９  パンザマスト
９ａ  上側単位マスト
９ｂ  下側単位マスト
９ｔ  単位マストの厚み
１０  嵌合部分
１０ｔ  下部端面
１２、１２ａ、１２ｂ  減速機
１２ｄ、１２ａｄ、１２ｂｄ  駆動軸
１４、１４ａ、１４ｂ  電動モータ
１５、１５ａ、１５ｂ  固定枠
２０、２０ａ、２０ｂ  磁石
３０  ジャッキ手段
５０  固定駒
５０ｂ  固定駒の下端
５０ｆ  受け面（上面）
５９  パンザマスト
７０  緊締手段
１００  解体装置
１０１  上位単位柱体
１０２  下位単位柱体
１０３  第１の装置
１０４  第２の装置
１０５  ジャッキ
１３１  ワイヤーロープ
１３２、１３３  可動駒
１３４  ワイヤーロープ緊張装置
１４１  チェーン
１４２〜１４５  固定駒
１４６  チェーン緊張装置
【図１】
2012192495.tif 000003
【図２】
2012192495.tif 000004
【図３】
2012192495.tif 000005
【図４】
2012192495.tif 000006
【図５】
2012192495.tif 000007